(57)【要約】    【課題】  強度的に優れかつ製作が容易である金属製ざるを提供する。    【解決手段】  本体２の上口縁を巻き込み部２Ａを介して設けた縁枠４と、ざる本体２の底部に設けられる台脚リング３と、ざる本体２の外周に沿って縦方向に設けられ縁枠４と台脚リング３とを連結する複数の枠線材５とを備える。巻き込み部２Ａ内に該巻き込み部２Ａに沿って線材６を設け、線材６に枠線材５の上端５Ｔを接続する。巻き込み部２Ａ、ひいては縁枠４に沿って設けた線材６により、縁枠４の強度向上のみならず、枠線材５の縁枠４側との接続強度、ひいてはざる１自体の強度を向上することができる。    【選択図】    図１
0003106304.tif 000002
【実用新案登録請求の範囲】
【請求項１】
ざる本体と、このざる本体の上口縁に巻き込み部を介して設けられる縁枠と、前記ざる本体の底部に設けられる台脚リングと、前記ざる本体の外周に沿って縦方向に設けられ前記縁枠と前記台脚リングとを連結する複数の枠線材とを備えた金属製ざるにおいて、前記巻き込み部内に該巻き込み部に沿って線材を設け、前記線材に前記枠線材の上端を接続したことを特徴とする金属製ざる。
【請求項２】
前記巻き込み部に沿って設けられる線材は、前記巻き込み部のほぼ全周に設けられることを特徴とする請求項１記載の金属製ざる。
【請求項３】
ざる本体と、このざる本体の上口縁に巻き込み部を介して設けられる縁枠と、前記ざる本体の底部に設けられる台脚リングと、前記ざる本体の外周に沿って縦方向に設けられ前記縁枠と前記台脚リングとを連結する複数の枠線材とを備えた金属製ざるにおいて、前記巻き込み部内に該巻き込み部のほぼ全周に沿ったリング体を分割した分割線材を設け、前記枠線材の上端を前記分割線材に接続したことを特徴とする金属製ざる。
【請求項４】
前記縁枠の下側端縁には前記枠線材の縦方向部分の上端側を挿通させる切欠溝が形成されたことを特徴とする請求項１〜３のいずれか１項に記載の金属製ざる。
【請求項５】
前記枠線材の上端の先端面を前記線材の下部に接続したことを特徴とする請求項１〜４のいずれか１項に記載の金属製ざる。
【請求項６】
前記枠線材の上端を横向きに折曲してその横向き上端の上部を前記線材の下部に接続したことを特徴とする請求項１〜４のいずれか１項に記載の金属製ざる。
【考案の詳細な説明】
【技術分野】
【０００１】
本考案は金属製ざるに関する。
【背景技術】
【０００２】
従来、ざる本体の上口縁の縁枠と、底部の台脚リングとを枠線材により連結したものは図８に示すように枠線材101の下端を台脚リング102に連結し、枠線材101の上端にコ形の屈曲部101ａを設け、前記屈曲部101ａの先101ｂを縁枠103の係合孔104に挿入し屈曲圧潰して、前記縁枠101と前記台脚リング102とを連結するようにしている（例えば特許文献１）。
【特許文献１】実開昭５８−２９０４９号公報
【考案の開示】
【考案が解決しようとする課題】
【０００３】
上記従来技術の金属製ざるでは、縁枠103と枠線材101とはコ形屈曲部101ａにより数箇所でのみ連結されているため、ざる本体の強度低下が生じる。またコ形屈曲部101ａの縁枠103との挟着度合によっては、枠線材101が縁枠103から外れてしまうおそれもあった。
【０００４】
上記問題点に鑑み、本考案は強度的に優れかつ製作が容易である金属製ざるを提供することを主たる目的とする。
【課題を解決するための手段】
【０００５】
請求項１の考案は、ざる本体と、このざる本体の上口縁に巻き込み部を介して設けられる縁枠と、前記ざる本体の底部に設けられる台脚リングと、前記ざる本体の外周に沿って縦方向に設けられ前記縁枠と前記台脚リングとを連結する複数の枠線材とを備えた金属製ざるにおいて、前記巻き込み部内に該巻き込み部に沿って線材を設け、前記線材に前記枠線材の上端を接続したことを特徴とする金属製ざるである。
【０００６】
請求項２の考案は、前記巻き込み部に沿って設けられる線材は、前記巻き込み部のほぼ全周に設けられることを特徴とする請求項１記載の金属製ざるである。
【０００７】
請求項３の考案は、ざる本体と、このざる本体の上口縁に巻き込み部を介して設けられる縁枠と、前記ざる本体の底部に設けられる台脚リングと、前記ざる本体の外周に沿って縦方向に設けられ前記縁枠と前記台脚リングとを連結する複数の枠線材とを備えた金属製ざるにおいて、前記巻き込み部内に該巻き込み部のほぼ全周に沿ったリング体を分割した分割線材を設け、前記枠線材の上端を前記分割線材に接続したことを特徴とする金属製ざるである。
【０００８】
請求項４の考案は、前記縁枠の下側端縁には前記枠線材の縦方向部分の上端側を挿通させる切欠溝が形成されたことを特徴とする請求項１〜３のいずれか１項に記載の金属製ざるである。
【０００９】
請求項５の考案は、前記枠線材の上端の先端面を前記線材の下部に接続したことを特徴とする請求項１〜４のいずれか１項に記載の金属製ざるである。
【００１０】
請求項６の考案は、前記枠線材の上端を横向きに折曲してその横向き上端の上部を前記線材の下部に接続したことを特徴とする請求項１〜４のいずれか１項に記載の金属製ざるである。
【考案の効果】
【００１１】
請求項１の考案によれば、巻き込み部に沿って設けた線材により、縁枠の強度向上のみならず、枠線材と縁枠側との接続強度、ひいてはざる自体の強度を向上することができる。
【００１２】
請求項２の考案によれば、縁枠の全周の強度を向上することができる。
【００１３】
請求項３の考案においては、巻き込み部に沿って設けた分割線材により、縁枠の強度向上のみならず、枠線材と縁枠側との接続強度、ひいてはざる自体の強度を向上することができると共に、分割線材は分割していることで、枠線材の上端の接続を容易に行なうことができる。
【００１４】
請求項４の考案においては、枠線材を線材に確実に接続することができる。
【００１５】
請求項５の考案においては、線材、ひいては縁枠の下方より枠線材の上端の先端面が接続することができる。
【００１６】
請求項６の考案においては、前記横向き上端部の上部を前記線材の下部に接続することで、両者の接触面積、ひいては固定面積を大きくすることができる。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものでは内。又、以下に説明される構成の全てが、本考案の必須要件であるとは限らない。
【実施例１】
【００１８】
図１は本考案の実施例１を示す分解斜視図、図２は同断面図である。金属製ざる１は、ステンレス線材等からなる網を有底に形成したざる本体２の底部にステンレス製等からなる台脚リング３を設け、ざる本体２の上口縁にステンレス製等からなる縁枠４とを設け、縁枠４と台脚リング３とをステンレス製等からなる複数の枠線材５によって連結している。台脚リング３には、複数の枠線材５の下部が該台脚リング３の中央にて重なるように交叉し、かつこの枠線材５が台脚リング３の孔３Ｂを挿通して外側に放射状に配置され、また枠線材５は孔３Ｂにて略Ｌ字状に屈曲した屈曲部５Ａが形成されて、台脚リング５の上部には屈曲部５Ａに沿って外側方向に向かった屈曲部３Ａが形成されている。枠線材５は台脚リング５の上部にて台脚リング５を支持するよう構成している。そして、図２の拡大図に示すようにざる本体２の上口縁と縁枠４の下部には巻き込み部２Ａを介して該ざる本体２の上口縁と縁枠４とが一体に接続している。
【００１９】
さらに、孔３Ｂを挿通した枠線材５の上端５Ｔは、縁枠４のほぼ全周に沿って設けられる線材６とスポット溶接等により溶着固定される。そして縁枠４は、金属帯板をリング状に形成しかつ断面略Ｃ形のカール状に屈曲形成して巻き込み部２Ａを形成してなり、その下側端縁には枠線材５の上端５Ｔに対応して上端５Ｔが挿通可能な切欠溝７が形成されており、前記縁枠４の巻き込み部２Ａにて線材６とざる本体２の上口縁とを抱持するように挟着している。尚、線材６は１本の線材を縁枠４のほぼ全周に沿ってリング状に形成したものであり、その両端６Ａを近接している。
【００２０】
したがって、金属製ざる１の縁枠４においては、巻き込み部２Ａのほぼ全周に沿ってリング状に形成した線材６を該巻き込み部２Ａの内側に設け、さらに、線材６に枠線材５の上端５Ｔを接続したものであるので、縁枠４のほぼ全周に沿ってリング状に形成した線材６により該縁枠４の強度を向上することができる。
【００２１】
以上のようにざる本体２の上口縁に巻き込み部２Ａを介して設ける縁枠４と、前記ざる本体２の底部に設けられる台脚リング３と、前記ざる本体２の外周に沿って縦方向に設けられ前記縁枠４と前記台脚リング３とを連結する複数の枠線材５とを備えた金属製ざるにおいて、前記巻き込み部２Ａ内に該巻き込み部２Ａに沿って線材６を設け、前記線材６に前記枠線材５の上端５Ｔを接続したことにより、該縁枠４に沿って設けた線材６により、縁枠４の強度向上のみならず、枠線材５の該縁枠４側との接続強度、ひいてはざる１自体の強度を向上することができる。
【００２２】
また請求項２に対応して、前記巻き込み部２Ａ、ひいては縁枠４に沿って設けられる線材６は、前記巻き込み部２Ａのほぼ全周に設けられることにより、縁枠４の全周の強度を向上することができる。
【００２３】
さらに請求項４に対応して、前記縁枠４の下側端縁には枠線材５の縦方向部分の上端５Ｔ側を挿通させる切欠溝７が形成されたことにより、枠線材５を線材６に確実に接続することができる。
【実施例２】
【００２４】
図３は本考案の実施例２を示す斜視図であり、前記実施例１と同一部分には同一符号を付し、その詳細な説明を省略する。実施例２においては巻き込み部２Ａ内に該巻き込み部２Ａのほぼ全周に沿ってリング体を等分に２分割した分割線材11を設け、枠線材５の上端５Ｔを前記分割線材11にそれぞれ接続し、縁枠４の巻き込み部２Ａにて分割線材11とざる本体２の上口縁とを挟着している。
【００２５】
以上のように、前記実施例では請求項３に対応して、ざる本体２の上口縁に巻き込み部２Ａを介して設ける縁枠４と、ざる本体２の底部に設けられる台脚リング３と、前記ざる本体２の外周に沿って縦方向に設けられ前記縁枠４と前記台脚リング３とを連結する複数の枠線材５とを備えた金属製ざるにおいて、前記巻き込み部２Ａ内に該巻き込み部２Ａのほぼ全周に沿ったリング体を２分割した分割線材11を設け、前記枠線材５の上端５Ｔを前記分割線材11に接続したことで、該巻き込み部２Ａに沿って設けた分割線材11により、縁枠４の強度向上のみならず、枠線材５と縁枠４側との接続強度、ひいてはざる１自体の強度を向上することができると共に、分割線材11は２分割していることで、枠線材５の上端５Ｔとの接続を容易に行なうことができる。
【実施例３】
【００２６】
図４、５は本考案の実施例３を示しており、前記実施例１と同一部分には同一符号を付し、その詳細な説明を省略する。実施例３においては巻き込み部２Ａ内に該巻き込み部２Ａのほぼ全周に沿って切欠溝７を設け、枠線材５の上端５Ｔの先端面を前記線材７の下部に突き当てるように熔接して接続したものである。
【００２７】
以上のように、前記実施例では請求項５に対応して、線材６、ひいては縁枠４の下方より枠線材５の上端５Ｔの先端面が線材６に接続することで、切欠溝７が形成された縁枠４の巻き込み加工等を容易に行うことができる。
【実施例４】
【００２８】
図６、７は本考案の実施例４を示しており、前記実施例１と同一部分には同一符号を付し、その詳細な説明を省略する。実施例３においては巻き込み部２Ａ内に該巻き込み部２Ａのほぼ全周に沿って７を設け、枠線材５の上端５Ｔを横向きに屈曲すると共に、その固定用の横向き上端５Ｔの上部を前記線材４の下部に沿うように熔接して接続したものである。
【００２９】
以上のように、前記実施例では請求項６に対応して、前記枠線材５の上端５Ｔを横向きに折曲してその固定用横向き上端５Ｔの上部を前記線材６の下部に接続したことで、上端５Ｔと線材６の接触面積、ひいては固定面積を大きくすることができる。
【産業上の利用可能性】
【００３０】
以上のように本考案にかかる金属製ざるにおいては、線材11を３又は４分割してもよい等種々の変形にも適用できる。
【図面の簡単な説明】
【００３１】
【図１】本考案の実施例１を示す分解斜視図である。
【図２】本考案の実施例１を示す断面図である。
【図３】本考案の実施例２を示す斜視図である。
【図４】本考案の実施例３を示す分解斜視図である。
【図５】本考案の実施例３を示す断面図である。
【図６】本考案の実施例４を示す分解斜視図である。
【図７】本考案の実施例４を示す断面図である。
【図８】従来例を示す分解斜視図である。
【符号の説明】
【００３２】
１  ざる
２  ざる本体
２Ａ  巻き込み部
３  台脚リング
４  縁枠
５  枠線材
５Ｔ  上端
６  線材
７  切欠溝
11  分割線材
【図１】
0003106304.tif 000003
【図２】
0003106304.tif 000004
【図３】
0003106304.tif 000005
【図４】
0003106304.tif 000006
【図５】
0003106304.tif 000007
【図６】
0003106304.tif 000008
【図７】
0003106304.tif 000009
【図８】
0003106304.tif 000010